(57)【要約】【課題】緊急ロック機構のウェビング加速度感知手段及びロック部材自体の誤作動によるエンドロックの発生を防止することができるコンパクトなシートベルト用リトラクタを提供する。【解決手段】シートベルト用リトラクタにおいて、ウェビング加速度感知手段のＷＳレバー５０は、コントロールプレート８０によって、ウェビングの巻き取り完了時にステアリングホイール４０のウェビング引き出し方向の回転が阻止されない第１の非作動位置に保持されるように制御されており、且つ、ＷＳレバー５０は、ウェビングの巻き取り完了時に第１の非作動位置に保持されることで、スピンドル１に対するステアリングホイール４０の回転遅れを防止し、ロックドック２０をフレーム１０と係合しないロック解除位置に保持する。【選択図】図１
2010167845.tif 000002
【特許請求の範囲】
【請求項１】
フレームに回転自在に支持され、ウェビングが巻装されるスピンドルと、
前記フレームに係合することで前記スピンドルのウェビング引き出し方向の回転をロックするロック部材と、
前記スピンドルに相対回転可能に支持されると共に、前記スピンドルに対して回転遅れを生じることにより前記ロック部材を作動するステアリングホイールと、
前記ステアリングホイールに揺動自在に軸支される第１の係止手段を有し、所定の速度以上で前記ウェビングが引き出された時に、前記第１の係止手段を第１の作動位置に変位させ、前記ステアリングホイールのウェビング引き出し方向の回転を阻止するウェビング加速度感知手段と、
前記スピンドルの回転に応じて前記スピンドルと異なる回転数で回転するコントロールプレートと、
を備え、
前記第１の係止手段は、前記コントロールプレートによって、前記ウェビングの巻き取り完了時に前記ステアリングホイールのウェビング引き出し方向の回転が阻止されない第１の非作動位置に保持されるように制御されており、且つ、
前記第１の係止手段は、前記ウェビングの巻き取り完了時に前記第１の非作動位置に保持されることで、前記スピンドルに対する前記ステアリングホイールの回転遅れを防止し、前記ロック部材を前記フレームと係合しないロック解除位置に保持することを特徴とするシートベルト用リトラクタ。
【請求項２】
前記ウェビング加速度感知手段は、一端部が前記ステアリングホイールに、他端部が前記第１の係止手段にそれぞれ支持され、前記第１の係止手段を前記第１の非作動位置に向けて付勢するＷＳ用付勢手段を、さらに備え、
前記第１の係止手段は、前記フレームに取り付けられたカバー部材の内周面に形成された内歯と係合可能な爪部と、前記コントロールプレートに向けて軸方向に延出するＷＳ用突起部と、前記スピンドルに向けて軸方向に突出するロック部材飛び出し防止用突起部と、を有し、
前記コントロールプレートは、前記ウェビングの巻き取り完了時に、該ＷＳ用突起部と当接して前記第１の係止手段を前記第１の非作動位置に保持されるように制御するＷＳ用カムを有し、
前記スピンドルと前記ステアリングホイールとの間には、前記ロック部材を前記ロック解除位置に保持して前記スピンドルと前記ステアリングホイールが一体回転するように、前記スピンドルに対して前記ステアリングホイールを付勢する付勢手段が設けられ、
前記スピンドルの側面には、前記ロック部材飛び出し防止用突起部を収容するカム溝が形成され、
前記カム溝は、前記第１の係止手段が前記ウェビングの巻取り完了時に前記第１の非作動位置に保持される際、前記ロック部材を前記ロック解除位置から飛び出さないように前記ロック部材飛び出し防止用突起部と係合する飛び出し防止部を有することを特徴とする請求項１に記載のシートベルト用リトラクタ。
【請求項３】
前記ステアリングホイールに揺動自在に軸支される第２の係止手段を有し、前記ウェビングが第１の所定量引き出されてから第２の所定量巻き取られるまでの間、前記第２の係止手段を第２の作動位置に変位させ、前記ステアリングホイールのウェビング引き出し方向の回転を阻止する自動ロック機構を、さらに備え、
前記第２の係止手段は、前記コントロールプレートによって、前記ウェビングが第１の所定量引き出されてから第２の所定量巻き取られるまでの間、前記第２の作動位置に保持されるように制御されていることを特徴とする請求項１または２に記載のシートベルト用リトラクタ。
【請求項４】
前記自動ロック機構は、一端部が前記ステアリングホイールに、他端部が前記第２の係止手段にそれぞれ支持されるＡＬＲ用付勢手段を、さらに備え、
前記第１の係止手段は、前記フレームに取り付けられたカバー部材の内周面に形成された内歯と係合可能な爪部と、前記コントロールプレートに向けて軸方向に延出するＷＳ用突起部と、を、備え、
前記第２の係止手段は、前記コントロールプレートに向けて軸方向に延出するＡＬＲ用突起部と、前記第１の係止手段と当接可能な当接用アーム部と、を有し、
前記コントロールプレートは、前記ウェビングの巻き取り完了時に、該ＷＳ用突起部と当接して前記第１の係止手段を前記第１の非作動位置に保持されるように制御するＷＳ用カムと、前記ウェビングが第１の所定量引き出されたときに該ＡＬＲ用突起部と当接して前記第２の係止手段を前記ＡＬＲ用付勢手段の死点を越えて前記第２の作動位置へスナップ動作させるＡＬＲ用カムと、を有し、
前記第２の係止手段が前記第２の作動位置へスナップ動作したとき、前記当接用アーム部は前記第１の係止手段に当接して、前記第１の係止手段の爪部を前記カバー部材の内歯に係合させて、前記ステアリングホイールのウェビング引き出し方向の回転を阻止するとともに、
前記ＷＳ用カムは、前記ウェビングが前記第１の所定量引き出されてから第２の所定量巻き取られる時に、該ＷＳ用突起部と当接して前記第１の係止手段が前記第１の非作動位置に保持されるように制御し、このとき、前記第１の係止手段が前記当接用アーム部に当接して押圧されることで、前記第２の係止手段は前記当接用アーム部が前記第１の係止手段から離れる第２の非作動位置へ前記ＡＬＲ用付勢手段の死点を越えてスナップ動作することを特徴とする請求項３に記載のシートベルト用リトラクタ。
【請求項５】
前記ロック部材には、前記ステアリングホイールに形成されたカム孔を貫通するピン部が設けられ、
前記ステアリングホイールには、該カム孔を貫通した前記ピン部が挿入される長孔と、前記コントロールプレートに向けて軸方向に延出するロック部材用突起部と、を有するキャンセルレバーが揺動自在に支持され、
前記コントロールプレートのＡＬＲ用カムは、前記ウェビングの巻き取り完了時に、前記ロック部材を前記フレームと係合不能となるように制御するロック部材用カムを構成することを特徴とする請求項４に記載のシートベルト用リトラクタ。
【請求項６】
前記自動ロック機構は、一端部が前記ステアリングホイールに、他端部が前記第２の係止手段にそれぞれ支持されるＡＬＲ用付勢手段を、さらに備え、
前記第１の係止手段は、前記フレームに取り付けられたカバー部材の内周面に形成された内歯と係合可能な爪部と、前記コントロールプレートに向けて軸方向に延出するＷＳ用突起部と、を備え、
前記第２の係止手段は、前記コントロールプレートに向けて軸方向に延出するＡＬＲ用突起部と、前記第１の係止手段と当接可能な当接用アーム部と、を有し、
前記コントロールプレートは、前記ウェビングの巻き取り完了時に、該ＷＳ用突起部と当接して前記第１の係止手段を前記第１の非作動位置に保持されるように制御するＷＳ用カムと、前記ウェビングが第１の所定量引き出されたときに該ＡＬＲ用突起部と当接して前記第２の係止手段を前記ＡＬＲ用付勢手段の死点を越えて前記第２の作動位置へスナップ動作させるとともに、前記ウェビングが第２の所定量巻き取られるときに該ＡＬＲ用突起部と当接して前記第２の係止手段を前記ＡＬＲ用付勢手段の死点を越えて前記当接用アーム部が前記第１の係止手段から離れる第２の非作動位置へスナップ動作させるＡＬＲ用カム、を有し、
前記ウェビングが第１の所定量引き出され、前記第２の係止手段が前記第２の作動位置へスナップ動作したとき、前記当接用アーム部は前記第１の係止手段に当接して、前記第１の係止手段の爪部を前記カバー部材の内歯に係合させて、前記ステアリングホイールのウェビング引き出し方向の回転を阻止するとともに、
前記ウェビングが前記第２の所定量巻き取られる時に、前記ＡＬＲ用カムは、前記ＡＬＲ用突起部と当接して前記第２の係止手段を前記第２の非作動位置へスナップ動作させるように制御するとともに、前記ＷＳ用カムは、該ＷＳ用突起部と当接して前記第１の係止手段が前記第１の非作動位置に保持されるように制御することで、前記ステアリングホイールのウェビング引き出し方向の回転が阻止されないことを特徴とする請求項３に記載のシートベルト用リトラクタ。
【請求項７】
前記スピンドルと一体に回転するドライブギアと、前記コントロールプレートと一体に回転する前記ドライブギアより歯数の少ないドリブンギアと、前記ドライブ及びドリブンギアの両方に噛合するアイドルギアとを有する歯車増速機構をさらに備え、
前記コントロールプレートは、前記歯車増速機構によって前記スピンドルの回転に対して増速回転することを特徴とする請求項１から６のいずれかに記載のシートベルト用リトラクタ。
【発明の詳細な説明】
【技術分野】
【０００１】
本発明は、緊急ロック機構（ＥＬＲ）及び自動ロック機構（ＡＬＲ）を備えたシートベルト用リトラクタの改良に関するものである。 
【背景技術】
【０００２】
従来、車両の乗員等を座席に安全に保持するためのシートベルト用リトラクタとして、急な加速、衝突又は減速に反応する車体加速度感知手段によってウェビングの引き出しを物理的にロックする緊急ロック機構を備えて、乗員を効果的及び安全に拘束する緊急ロック式リトラクタが用いられている。
また、チャイルドシート等を車両シートにシートベルトで固定するためのシートベルト用リトラクタとして、ウェビングを全量引き出したときに作動し、巻取り途中ではウェビングの引出しを阻止し、ウェビングの全量巻取りで作動解除する自動ロック機構を備えたものが用いられている。
【０００３】
ところで、緊急ロック機構を備えたシートベルト用リトラクタでは、車両緊急時ではない不必要な時にも、スピンドル（巻取軸）のウェビング引き出し方向の回転がロックされることがある。即ち、車両取付け状態において、ウェビング引き出し状態から巻き取りバネのバネ力に従って急激にウェビングが全量巻き取られたとき、その衝撃で緊急ロック機構が作動して、スピンドルのウェビング引き出し方向の回転がロックされてしまうことがあり、この場合には、ウェビングの引き出しができなくなる。しかもこのとき、ウェビングは全量巻き取り状態にあるので、スピンドルはウェビング巻き取り方向にも回転できず、リトラクタは所謂エンドロック状態に陥るという問題があった。
【０００４】
例えば、緊急ロック機構としては、次のようなものがある。一つは、ウェビングの急激な引き出しを感知してスピンドルのウェビング引き出し方向の回転を阻止するもの（ウェビング加速度感知手段：ＷＳ）、もう一つは車両の急減速状態を感知してスピンドルのウェビング引き出し方向の回転を阻止するもの（車体加速度感知手段：ＶＳＩ）である。いずれの場合も、スピンドルと一体回転するロック部材の揺動により、ロック部材の爪を、スピンドルを支持するフレームの内歯に噛み合わせて、スピンドルをロックするようにしている（例えば、特許文献１及び２参照）。
【０００５】
このようなエンドロックが起きるケースとしては、次の３つの場合がある。
（１）ウェビング加速度感知手段（ＷＳ）の誤作動によるもの。
一般的に、ウェビング加速度感知手段は、急速にベルトを引き出すと、マスの慣性でマス側の回転がスピンドルより遅れることで、ロック部材が外に飛び出して、フレームの内歯に噛み込む、という原理を用いている。ところが、急激なウェビング巻き取り後にウェビングが突っ張ると、勢いでマスがスピンドルに対して相対移動してしまい、ロック部材がフレームの内歯に噛んでしまう場合である。
（２）車体加速度感知手段（ＶＳＩ）の誤作動によるもの。
ウェビングの急速な巻き取り等に伴い車体加速度感知手段に加速度が入力した際に、慣性部材であるボールが動き、レバーが揺動して、ラッチ部材に噛んでロックする場合である。
（３）ロック部材自体の誤作動によるもの。
ウェビングを巻き取った勢いで、ロック部材自体がフレームの内歯に噛んでしまう場合である。
【０００６】
特許文献１に記載のシートベルトリトラクタは、スピンドルの回転に連動するカムプレートのカム溝に揺動阻止部材に設けられたカムフォロワを案内させ、揺動阻止部材のストッパ部を回動する。そして、このストッパ部が慣性体に当接して、慣性体を非作動位置に保持して慣性体の揺動を阻止する。これにより、ウェビングの巻取り完了時に、慣性体が作動してロックギヤ（ラチェットホイール）への係合を防止し、ウェビングの巻取り完了時のエンドロックを防止している。
【０００７】
また、特許文献２に記載のシートベルトリトラクタは、遊星歯車機構によって回動するカム部材を有し、ロック手段としての一対のロックプレートが配設されたロック輪が全量巻き取り状態でスピンドルとの相対回転を阻止するエンドロック防止手段を備える。また、該シートベルトリトラクタは、遊星歯車機構の歯車及び他の歯車を介して他のカム部材を回動させることで自動ロック機構を構成している。
【先行技術文献】
【特許文献】
【０００８】
【特許文献１】特開平９−５８４１０号公報
【特許文献２】特開平１０−１２９４１７号公報
【発明の概要】
【発明が解決しようとする課題】
【０００９】
ところで、特許文献１に記載のシートベルト用リトラクタでは、慣性体の揺動を阻止することでウェビング加速度感知手段の誤作動によるエンドロックを防止しているが、ロック部材のエンドロックについては記載されていない。また、特許文献２に記載のシートベルト用リトラクタでは、自動ロック機構を備えつつ、ロック部材自体の誤作動によるエンドロックを防止することが記載されているが、それぞれ別々のカム部材を用いてこれらを動作させており、また、ウェビング加速度感知手段の誤作動によるエンドロックについては記載されていない。
【００１０】
本発明は、上述した事情に鑑みてなされたものであり、その目的は、緊急ロック機構のウェビング加速度感知手段及びロック部材自体の誤作動によるエンドロックの発生を防止することができるコンパクトなシートベルト用リトラクタを提供することにある。
【課題を解決するための手段】
【００１１】
前述した目的を達成するために、本発明に係るシートベルト用リトラクタは、下記（１）〜（６）を特徴としている。
（１）  フレームに回転自在に支持され、ウェビングが巻装されるスピンドルと、
前記フレームに係合することで前記スピンドルのウェビング引き出し方向の回転をロックするロック部材と、
前記スピンドルに相対回転可能に支持されると共に、前記スピンドルに対して回転遅れを生じることにより前記ロック部材を作動するステアリングホイールと、
前記ステアリングホイールに揺動自在に軸支される第１の係止手段を有し、所定の速度以上で前記ウェビングが引き出された時に、前記第１の係止手段を第１の作動位置に変位させ、前記ステアリングホイールのウェビング引き出し方向の回転を阻止するウェビング加速度感知手段と、
前記スピンドルの回転に応じて前記スピンドルと異なる回転数で回転するコントロールプレートと、
を備え、
前記第１の係止手段は、前記コントロールプレートによって、前記ウェビングの巻き取り完了時に前記ステアリングホイールのウェビング引き出し方向の回転が阻止されない第１の非作動位置に保持されるように制御されており、且つ、
前記第１の係止手段は、前記ウェビングの巻き取り完了時に前記第１の非作動位置に保持されることで、前記スピンドルに対する前記ステアリングホイールの回転遅れを防止し、前記ロック部材を前記フレームと係合しないロック解除位置に保持することを特徴とするシートベルト用リトラクタ。
（２）  前記ウェビング加速度感知手段は、一端部が前記ステアリングホイールに、他端部が前記第１の係止手段にそれぞれ支持され、前記第１の係止手段を前記第１の非作動位置に向けて付勢するＷＳ用付勢手段を、さらに備え、
前記第１の係止手段は、前記フレームに取り付けられたカバー部材の内周面に形成された内歯と係合可能な爪部と、前記コントロールプレートに向けて軸方向に延出するＷＳ用突起部と、前記スピンドルに向けて軸方向に突出するロック部材飛び出し防止用突起部と、を有し、
前記コントロールプレートは、前記ウェビングの巻き取り完了時に、該ＷＳ用突起部と当接して前記第１の係止手段を前記第１の非作動位置に保持されるように制御するＷＳ用カムを有し、
前記スピンドルと前記ステアリングホイールとの間には、前記ロック部材を前記ロック解除位置に保持して前記スピンドルと前記ステアリングホイールが一体回転するように、前記スピンドルに対して前記ステアリングホイールを付勢する付勢手段が設けられ、
前記スピンドルの側面には、前記ロック部材飛び出し防止用突起部を収容するカム溝が形成され、
前記カム溝は、前記第１の係止手段が前記ウェビングの巻取り完了時に前記第１の非作動位置に保持される際、前記ロック部材を前記ロック解除位置から飛び出さないように前記ロック部材飛び出し防止用突起部と係合する飛び出し防止部を有することを特徴とする（１）に記載のシートベルト用リトラクタ。
（３）  前記ステアリングホイールに揺動自在に軸支される第２の係止手段を有し、前記ウェビングが第１の所定量引き出されてから第２の所定量巻き取られるまでの間、前記第２の係止手段を第２の作動位置に変位させ、前記ステアリングホイールのウェビング引き出し方向の回転を阻止する自動ロック機構を、さらに備え、
前記第２の係止手段は、前記コントロールプレートによって、前記ウェビングが第１の所定量引き出されてから第２の所定量巻き取られるまでの間、前記第２の作動位置に保持されるように制御されていることを特徴とする（１）または（２）に記載のシートベルト用リトラクタ。
（４）  前記自動ロック機構は、一端部が前記ステアリングホイールに、他端部が前記第２の係止手段にそれぞれ支持されるＡＬＲ用付勢手段を、さらに備え、
前記第１の係止手段は、前記フレームに取り付けられたカバー部材の内周面に形成された内歯と係合可能な爪部と、前記コントロールプレートに向けて軸方向に延出するＷＳ用突起部と、を、備え、
前記第２の係止手段は、前記コントロールプレートに向けて軸方向に延出するＡＬＲ用突起部と、前記第１の係止手段と当接可能な当接用アーム部と、を有し、
前記コントロールプレートは、前記ウェビングの巻き取り完了時に、該ＷＳ用突起部と当接して前記第１の係止手段を前記第１の非作動位置に保持されるように制御するＷＳ用カムと、前記ウェビングが第１の所定量引き出されたときに該ＡＬＲ用突起部と当接して前記第２の係止手段を前記ＡＬＲ用付勢手段の死点を越えて前記第２の作動位置へスナップ動作させるＡＬＲ用カムと、を有し、
前記第２の係止手段が前記第２の作動位置へスナップ動作したとき、前記当接用アーム部は前記第１の係止手段に当接して、前記第１の係止手段の爪部を前記カバー部材の内歯に係合させて、前記ステアリングホイールのウェビング引き出し方向の回転を阻止するとともに、
前記ＷＳ用カムは、前記ウェビングが前記第１の所定量引き出されてから第２の所定量巻き取られる時に、該ＷＳ用突起部と当接して前記第１の係止手段が前記第１の非作動位置に保持されるように制御し、このとき、前記第１の係止手段が前記当接用アーム部に当接して押圧されることで、前記第２の係止手段は前記当接用アーム部が前記第１の係止手段から離れる第２の非作動位置へ前記ＡＬＲ用付勢手段の死点を越えてスナップ動作することを特徴とする（３）に記載のシートベルト用リトラクタ。
（５）  前記ロック部材には、前記ステアリングホイールに形成されたカム孔を貫通するピン部が設けられ、
前記ステアリングホイールには、該カム孔を貫通した前記ピン部が挿入される長孔と、前記コントロールプレートに向けて軸方向に延出するロック部材用突起部と、を有するキャンセルレバーが揺動自在に支持され、
前記コントロールプレートのＡＬＲ用カムは、前記ウェビングの巻き取り完了時に、前記ロック部材を前記フレームと係合不能となるように制御するロック部材用カムを構成することを特徴とする（４）に記載のシートベルト用リトラクタ。
（６）  前記自動ロック機構は、一端部が前記ステアリングホイールに、他端部が前記第２の係止手段にそれぞれ支持されるＡＬＲ用付勢手段を、さらに備え、
前記第１の係止手段は、前記フレームに取り付けられたカバー部材の内周面に形成された内歯と係合可能な爪部と、前記コントロールプレートに向けて軸方向に延出するＷＳ用突起部と、を備え、
前記第２の係止手段は、前記コントロールプレートに向けて軸方向に延出するＡＬＲ用突起部と、前記第１の係止手段と当接可能な当接用アーム部と、を有し、
前記コントロールプレートは、前記ウェビングの巻き取り完了時に、該ＷＳ用突起部と当接して前記第１の係止手段を前記第１の非作動位置に保持されるように制御するＷＳ用カムと、前記ウェビングが第１の所定量引き出されたときに該ＡＬＲ用突起部と当接して前記第２の係止手段を前記ＡＬＲ用付勢手段の死点を越えて前記第２の作動位置へスナップ動作させるとともに、前記ウェビングが第２の所定量巻き取られるときに該ＡＬＲ用突起部と当接して前記第２の係止手段を前記ＡＬＲ用付勢手段の死点を越えて前記当接用アーム部が前記第１の係止手段から離れる第２の非作動位置へスナップ動作させるＡＬＲ用カム、を有し、
前記ウェビングが第１の所定量引き出され、前記第２の係止手段が前記第２の作動位置へスナップ動作したとき、前記当接用アーム部は前記第１の係止手段に当接して、前記第１の係止手段の爪部を前記カバー部材の内歯に係合させて、前記ステアリングホイールのウェビング引き出し方向の回転を阻止するとともに、
前記ウェビングが前記第２の所定量巻き取られる時に、前記ＡＬＲ用カムは、前記ＡＬＲ用突起部と当接して前記第２の係止手段を前記第２の非作動位置へスナップ動作させるように制御するとともに、前記ＷＳ用カムは、該ＷＳ用突起部と当接して前記第１の係止手段が前記第１の非作動位置に保持されるように制御することで、前記ステアリングホイールのウェビング引き出し方向の回転が阻止されないことを特徴とする（３）に記載のシートベルト用リトラクタ。
（７）  前記スピンドルと一体に回転するドライブギアと、前記コントロールプレートと一体に回転する前記ドライブギアより歯数の少ないドリブンギアと、前記ドライブ及びドリブンギアの両方に噛合するアイドルギアとを有する歯車増速機構をさらに備え、
前記コントロールプレートは、前記歯車増速機構によって前記スピンドルの回転に対して増速回転することを特徴とする（１）から（６）のいずれかに記載のシートベルト用リトラクタ。
【発明の効果】
【００１２】
本発明のシートベルト用リトラクタによれば、ウェビングの巻き取り完了時に、コントロールプレートによって、ウェビング加速度感知手段の第１の係止手段を、ステアリングホイールのウェビング引き出し方向の回転が阻止されない第１の非作動位置に保持されるように制御し、同時に、第１の係止手段によって、スピンドルに対するステアリングホイールの回転遅れを防止し、ロック部材をフレームと係合しないロック解除位置に保持する。これにより、コンパクトな構成で、緊急ロック機構のウェビング加速度感知手段及びロック部材自体の誤作動によるエンドロックの発生を防止することができる。
【図面の簡単な説明】
【００１３】
【図１】本発明の第１実施形態のシートベルト用リトラクタの分解斜視図である。
【図２】ステアリングホイールの正面図である。
【図３】（ａ）は、ベアリングカバーの斜視図であり、（ｂ）は、ベアリングカバーの正面図である。
【図４】（ａ）は、コントロールプレートのカム側斜視図であり、（ｂ）は、その正面図である。
【図５】コントロールプレートの各カムによって制御される各構成要素を透過して示す全量格納状態の図である。
【図６】コントロールプレートの各カムによって制御される各構成要素を透過して示すウェビング装着状態の図である。
【図７】シートベルト用リトラクタのキャンセラー機能を説明するため、コントロールプレートの各カムによって制御される各構成要素を透過して示す図であり、（ａ）は、ＷＳレバーが作動した状態を示し、（ｂ）は、ＷＳレバーがベアリングカバーの内歯にロックした状態を示し、（ｃ）は、ロックドックが係合した状態を示す。
【図８】自動ロック機構の切り換えを説明するための図であり、（ａ）は、ウェビングの全量引き出し直前の状態を示し、（ｂ）は、全量引き出しによって自動ロック機構が作動する状態を示し、（ｃ）は、ウェビングが所定量巻き取られて自動ロック機構が作動した状態を示し、（ｄ）は、自動ロック機構が作動中にウェビングが巻き取られた状態を示し、（ｅ）は、ウェビングがさらに巻き取られて自動ロック機構の作動解除動作が開始される状態を示し、（ｆ）は、自動ロック機構の作動が解除された状態を示す。
【図９】ウェビング加速度感知手段のＷＳレバーの動作を説明するための図であり、（ａ）は、慣性体７０とステアリングホイール４０の間の位相ずれがない初期状態、（ｂ）は該位相ずれが生じ、ＷＳレバーがベアリングカバーの内歯に接近した状態、（ｃ）は、さらに位相ずれが生じ、ＷＳレバーが係合した状態を示す。
【図１０】ロックドックの作動を説明するための図であり、（ａ）は、ＷＳレバー係合時の状態、（ｂ）は、ロックドックの歯先係合開始状態、（ｃ）は、ロックドックの完全結合状態を示す。
【図１１】第２実施形態のシートベルト用リトラクタに係る、コントロールプレートの各カムによって制御される各構成要素を透過して示す全量格納状態の図である。
【図１２】図１１のシートベルト用リトラクタに係る、コントロールプレートの各カムによって制御される各構成要素を透過して示すウェビング装着状態の図である。
【図１３】図１１のシートベルト用リトラクタのキャンセラー機能を説明するための図であり、（ａ）は、ＷＳレバーが作動した状態を示し、（ｂ）は、ＷＳレバーがベアリングカバーの内歯にロックした状態を示し、（ｃ）は、ロックドックが係合した状態を示す。
【図１４】自動ロック機構の切り換えを説明するための図であり、（ａ）は、ウェビングの全量引き出し直前の状態を示し、（ｂ）は、全量引き出しによって自動ロック機構が作動する状態を示し、（ｃ）は、ウェビングが所定量巻き取られて自動ロック機構が作動した状態を示し、（ｄ）は、自動ロック機構が作動中にウェビングが巻き取られた状態を示し、（ｅ）は、ウェビングがさらに巻き取られて自動ロック機構の作動解除動作が開始される状態を示し、（ｆ）は、自動ロック機構の作動が解除された状態を示す。
【発明を実施するための形態】
【００１４】
以下、本発明のシートベルト用リトラクタに係る好適な各実施形態について図面を参照して詳細に説明する。
【００１５】
（第１実施形態）
本実施形態のシートベルト用リトラクタは、ウェビング加速度感知手段と車体加速度感知手段とを有する緊急ロック機構と、自動ロック機構とを兼ね備える。図１に示すように、このシートベルト用リトラクタは、ウェビング（図示略）が巻装される金属製（例えば、アルミ合金製）のスピンドル１と、スピンドル１を巻き取り方向に回転付勢するバネ式の巻取装置２と、スピンドル１を回転自在に支持する金属製のコ字状のフレーム１０と、ロック部材としての金属製（例えば、鉄製）のロックドック２０と、樹脂製のステアリングホイール４０と、ステアリングホイール４０に質量を付与する金属製（例えば、亜鉛合金製）の慣性体（イナーシャマス）７０と、イナーシャマス７０に取り付けられるラッチ部材としての樹脂製のラチェットホイール３０と、ウェビング加速度感知手段の第１の係止手段としての樹脂製のＷＳレバー５０と、自動ロック機構の第２の係止手段としての樹脂製のＡＬＲレバー６０と、ロックドック２０に取り付けられるキャンセル部材である樹脂製のキャンセルレバー９０と、樹脂製のコントロールプレート８０と、車体の加速度を感知する車体加速度感知手段１１０と、ロックドック２０、ラチェットホイール３０、ステアリングホイール４０、ＷＳレバー５０、慣性体７０、車体加速度感知手段１１０等の緊急ロック機構の主要構成部品を覆うカバー部材としての樹脂製のベアリングカバー１００と、を主に備えている。なお、イナーシャマス７０は、樹脂製であってもよい。
【００１６】
図１に示すように、フレーム１０は、スピンドル１の軸方向の中央部分を挟んで対向する左右側板１０Ａ、１０Ｂを有し、一方の側板１０Ａの外側に緊急ロック機構及び自動ロック機構が配置され、他方の側板１０Ｂの外側に巻取装置２が配置されている。スピンドル１の一端側の軸５は、ステアリングホイール４０、イナーシャマス７０、コントロールプレート８０の各中心孔４５、７５、８５を貫通し、その先端にはドライブギア６が一体回転するように嵌着されている。
【００１７】
また、フレーム１０の一方の側板１０Ａに取り付けられたベアリングカバー１００にはアイドルギア７が軸支されており、ドライブギア６と、コントロールプレート８０の片面に形成されたドリブンギア８１との両方に噛み合っている。従って、スピンドル１の回転が、ドライブギア６からアイドルギア７を介してドリブンギア８１に伝えられ、ドリブンギア８１を有するコントロールプレート８０が、スピンドル１と連動して増速回転するようになっている。これらドライブギア６、アイドルギア７、ドリブンギア８１よりなる歯車増速機構の増速比は、ウェビングを全量引き出した状態から全量巻き取った状態にするときのスピンドル１の回転が、コントロールプレート８０の１回転に変換されるような数値に設定されている。なお、本実施形態では、ドライブギア６の歯数を２２、アイドルギア７の歯数を１３、ドリブンギア８１の歯数を２１としている。また、ドライブ、アイドル、及びドリブンギア６，７，８１はそれぞれ樹脂製からなる。
【００１８】
また、フレーム１０の側板１０Ａの円形開口の内周には、ロックドック２０の爪２２が嵌まる多数の内歯１１が形成されている。ロックドック２０は、スピンドル１の一方の端面と該端面に固着された金属製（例えば、鉄製）のカバープレート２９との間に確保された空間に変位自在に収容されている。また、スピンドル１の一方の端面には、コイルスプリング２８の一端を支持して収容するスプリング収容穴３が形成されている。そして、ステアリングホイール４０の裏面に形成された図示しないスプリング支持部にコイルスプリング２８の他端を支持することで、コイルスプリング２８は、ステアリングホイール４０をスピンドル１に対して反時計回り（ロック解除位置）に付勢し、スピンドル１とステアリングホイール４０とを一体回転可能とする。ロックドック２０は、そのカムピン２１をステアリングホイール４０に形成されたカム孔４１に挿入することで、爪２２が内歯１１から離れるロック解除位置に保持される。また、必要時に、ステアリングホイール４０をスピンドル１に対して時計回りに相対的に回転する（実際には、スピンドル１が回転する）ことで、カムピン２１の動きにより、コイルスプリング２８の力に抗して爪２２を外に飛び出させる。そして、外に飛び出させた爪２２を、フレーム１０の内歯１１に噛み合わせることにより、スピンドル１をフレーム１０の内歯１１にロックさせ（即ち、ロック位置に移動させ）、ウェビング引き出し方向の回転を機械的にロックする。
【００１９】
ステアリングホイール４０は、スピンドル１に相対回転可能に支持され、図２に示すように、ロックドック２０のカムピン２１が係合するカム孔４１と、ＷＳレバー５０の軸孔５１に嵌まることでＷＳレバー５０を揺動自在に支持する凸軸４２と、ＡＬＲレバー６０の長孔６１に嵌ることでＡＬＲレバー６０を移動自在且つ揺動自在に支持する凸軸４３と、ＡＬＲレバー６０のスピンドル側に突出する凸部６４を収容する他のカム孔４４と、キャンセルレバー９０の軸孔９２に嵌まることでキャンセルレバー９０を揺動自在に支持する凸軸４７と、ＷＳレバー５０のロック部材飛び出し防止用突起部５４の揺動を許容する切り欠き４８と、を有している。
【００２０】
カム孔４１は、スピンドル１に対してステアリングホイール４０が相対回転するときに、カムピン２１を介してロックドック２０の爪２２を外方に押し出す。例えば、ウェビング引き出し時に、スピンドル１に対してステアリングホイール４０が回転遅れを生じた場合に、スピンドル１とステアリングホイール４０の相対回転により、ロックドック２０をロック側へ作動させる。
【００２１】
また、カム孔４１を貫通したカムピン２１の先端は、ステアリングホイール４０の凸軸４７に揺動自在に支持されたキャンセルレバー９０の長孔９３に挿入されている。また、キャンセルレバー９０は、軸孔９２を中心として長孔９３が形成されたアーム部分と異なるアーム部分に、コントロールプレート８０に向けて軸方向に延出するロック部材用突起部９１を有する。
【００２２】
ＷＳレバー５０は、後述するベアリングカバー１００の内歯１０８（図３）に係合可能な爪５２と、コントロールプレート８０に向けて軸方向に延出するＷＳ用突起部５３と、スピンドル１に向けて軸方向に突出するロック部材飛び出し防止用突起部５４と、を有している。これら爪５２、ＷＳ用突起部５３、及びロック部材飛び出し防止用突起部５４は、軸孔５１の軸方向と垂直な方向に軸孔５１からそれぞれ延びた各アーム部分に設けられている。ＷＳレバー５０は、ＷＳ用付勢手段であるＷＳスプリング５８によって爪５２を内方に引っ込める方向に回転付勢されており、通常時内歯１０８と係合しない第１の非作動位置に保持される。ＷＳスプリング５８は、一端部がステアリングホイール４０に、他端部がＷＳレバー５０にそれぞれ支持されている。
【００２３】
また、ＡＬＲレバー６０は、コントロールプレート８０に向けて軸方向に延出するＡＬＲ用突起部であるカムピン６２と、前述した凸部６４と、ＷＳレバー５０の爪５２が設けられる爪用アーム部分５５と当接可能な当接用アーム部６５と、を有している。これらカムピン６２と凸部６４とは、同一のアーム部分から軸方向両側に延びており、このアーム部分と当接用アーム部６５は、長孔６１の軸方向と垂直な方向に長孔６１からそれぞれ延びている。ＡＬＲレバー６０には、一端部がステアリングホイール４０に支持されたＡＬＲ用付勢手段であるＡＬＲスプリング６９の他端部が支持されている。ＡＬＲレバー６０は、ＡＬＲスプリング６９によって、凸部６４をステアリングホイール４０の他のカム孔４４内で案内しながら、当接用アーム部６５がＷＳレバー５０の爪用アーム部分５５と当接する第２の作動位置と爪用アーム部分５５と当接しない第２の非作動位置との間でＡＬＲスプリング６９の死点を越えてスナップ動作する。
【００２４】
慣性体７０は、ステアリングホイール４０にＷＳレバー５０やＡＬＲレバー６０等を組み付けた状態で、ステアリングホイール４０に取り付けられており、中心孔７５をスピンドル１の軸５に相対回転自在に嵌合させている。また、慣性体７０は、ステアリングホイール４０の中心孔４５の周囲に設けられた複数の爪部材４６によって、ステアリングホイール４０に対して僅かに相対回転できるように組み付けられている。慣性体７０の側面には凸部７１ａ，７ａｂ（図５参照。）が設けられており、この凸部７１ａ，７１ｂがＷＳレバー５０のＷＳ用突起部５３の基部近傍で該基部を挟持するように位置している。そして、慣性体７０とステアリングホイール４０の間に相対回転が生じた際に、この慣性体７０の凸部７１ａが、ステアリングホイール４０に支持されたＷＳレバー５０を押圧して、ＷＳレバー５０の爪５２が外方に突き出される第１の作動位置に変位させ、ベアリングカバー１００の内歯１０８に噛み合わせる。これにより、ウェビング加速度感知手段は、ステアリングホイール４０のウェビング引き出し方向の回転を阻止する。また、慣性体７０には、ＷＳレバー５０の突起部５３をコントロールプレート８０側に向けて貫通させる切欠き部７２と、ＡＬＲレバー６０のカムピン６２とキャンセルレバー９０のロック部材用突起部９１をコントロールプレート８０側に向けて揺動自在に貫通させる貫通孔７３，７４が形成されている。
【００２５】
図３にも示すように、ベアリングカバー１００の面板１０１の内面側には円筒壁１０７が突設され、その円筒壁１０７の内周に前述したＷＳレバー５０が噛み合い可能な内歯１０８が設けられている。また、ベアリングカバー１００には、車体加速度感知手段１１０を構成するベース部１１０Ａが設けられ、そこに、図示しないボールを保持するボールカバー１２７が取り付けられている。そして、車体加速度に応じて図示しないボールが移動することにより、作動部材であるＶＳセンサレバー１２０が揺動して爪１２１が持ち上がり、ラチェットホイール３０の外周に設けられた外歯３１に係合して、ラチェットホイール３０をロックする。
【００２６】
コントロールプレート８０には、中心にベアリングカバー１００に回転自在に嵌合する中心孔８５が設けられており、片面には前述したドリブンギア８１が設けられている。また、ドリブンギア８１を設けた側と反対側の側面には、図４に示すように、第１のカム８６及び第２のカム８７が軸方向に突出してリブ状に形成される。なお、本実施形態の第１のカム８６は、ウェビング加速度感知手段のＷＳレバー５０の誤作動によるエンドロックを防止するＷＳ用カムであるとともに、自動ロック機構の作動解除時においてＷＳレバー５０を介してＡＬＲレバー６０をスナップ動作させるＡＬＲ用カムとしても機能する。また、第２のカム８７は、自動ロック機構の作動時においてＡＬＲレバー６０をスナップ動作させるＡＬＲ用カムであるとともに、ロックドック２０自体の誤作動によるエンドロックを防止するロック部材用カムとしても機能する。
【００２７】
第１のカム８６は、コントロールプレート８０の外周面と同芯の円弧形状に形成され、ウェビングの巻き取り完了時に、第１の非作動位置にあるＷＳレバー５０の突起部５３と外周面で当接する位置と、第１の所定量である全量引き出されたウェビングが第２の所定量巻き取られる時点において、第１の作動位置にあるＷＳレバー５０の突起部５３と外周面で当接する位置と、を含むように形成される。
【００２８】
第２のカム８７は、コントロールプレート８０の外周面と同芯の第１の円弧部分８７ａと、第１の円弧部分８７ａの一端側で段差を持って第１の円弧部分８７ａより内周側に形成され、コントロールプレート８０の外周面と同芯の第２の円弧部分８７ｂと、第１の円弧部分８７ａの他端側に形成され、案内通路８７ｃを形成するとともに径方向に延びる側面８７ｄを有する部分と、を備える。この第２のカム８７の側面８７ｄは、ウェビングが全量引き出し直前から第１の所定量である全量引き出しまで引き出されるときに、ＡＬＲレバー６０のカムピン６２と当接する位置に形成される。また、第２のカム８７の第１の円弧部分８７ａは、ウェビングの巻き取り完了時に、ロック解除位置にあるロックドック２０に取り付けられたキャンセルレバー９０のロック部材用突起部９１が外周面と当接する位置を含むように形成される。さらに、案内通路８７ｃは、組み付け時におけるカムピン６２を保持して、ＡＬＲレバー６０を規制する。
【００２９】
また、ＷＳレバー５０のロック部材飛び出し防止用突起部５４は、スピンドル１の一方の端面に形成されたカム溝８に収容される。カム溝８は、図５に示すように、ステアリングホイール４０とスピンドル１が相対回転した際、及びＷＳレバー５０が揺動した際の該突起部５４の移動を許容するように周方向及び径方向に延出した略Ｌ字状に形成されている。そして、このカム溝８には、ＷＳレバー５０がウェビングの巻取り完了時に第１の非作動位置に保持される際、ロックドック２０をロック解除位置から飛び出さないようにロック部材飛び出し防止用突起部５４と周方向で接触して係合する飛び出し防止部としての壁面８ａが形成される。
【００３０】
次に、本実施形態のシートベルト用リトラクタの作用について説明する。
図５に示すように、ウェビングの全量格納状態では、ＷＳレバー５０の突起部５３は、第１のカム８６の外周面と当接しており、ＷＳレバー５０はステアリングホイール４０のウェビング引き出し方向の回転が阻止されない第１の非作動位置、即ち、ベアリングカバー１００の内歯１０８と係合しない爪５２を引っ込めた位置で回転不能に保持される。
【００３１】
このとき、ＷＳレバー５０のロック部材飛び出し防止用突起部５４は、スピンドル１のカム溝８の壁面８ａに接触して位置決めされており、スピンドル１に対するステアリングホイール４０の回転遅れが防止される。このため、ロックドック２０はフレーム１０の内歯１１と係合不能となるロック解除位置に保持される。
【００３２】
また、同様に、キャンセルレバー９０の突起部９１は、第２のカム８７の外周面と当接しており、キャンセルレバー９０によっても、ロックドック２０はフレーム１０の内歯１１と係合不能となるロック解除位置で回転不能に保持される。第２のカム８７の第２の円弧部分８７ｂは、ＡＬＲレバー６０とその近傍で対向しており、ＡＬＲスプリング６９によって付勢されて第２の非作動位置にあるＡＬＲレバー６０がスナップ動作によって第２の作動位置に移動するのを防止している。
【００３３】
そして、図５に示す全量格納状態からウェビングが引き出されると、コントロールプレート８０は、スピンドル１に対して矢印Ａ方向に相対回転する。従って、コントロールプレート８０は、スピンドル１に支持されたロックドック２０、スピンドル１とともに回転するステアリングホイール４０に支持されたＷＳレバー５０及びＡＬＲレバー６０に対して矢印Ａ方向に相対回転する。
【００３４】
これにより、ＷＳレバー５０の突起部５３と第１のカム８６との当接が解除されるとともに、キャンセルレバー９０の突起部９１と第２のカム８７との当接が解除される。また、ＷＳレバー５０のロック部材飛び出し防止用突起部５４の壁面８ａとの係合が解除される。このため、ＷＳスプリング５８で第１の非作動位置に保持されているＷＳレバー５０は、ステアリングホイール４０のウェビング引き出し方向の回転を阻止する第１の作動位置へ揺動回転可能となる。また、コイルスプリング２８によってフレーム１０の内歯１１と係合不能となる位置に保持されているロックドック２０は、図７（ａ）〜（ｃ）に示すように、ＷＳレバー５０の第１の作動位置への揺動後に、内歯１１と係合するロック位置へ外側に飛び出し可能となる。
【００３５】
従って、図６に示すように、タングにバックルが装着されたウェビング装着状態において、車両に所定値以上の減速度が作用しない通常時にはウェビングの引き出し、巻き取りが自由に行われる。また、ウェビング装着状態において、車両に所定値以上の減速度が作用する緊急時にはウェビング加速度感知手段と車体加速度感知手段が作動可能となる。
【００３６】
また、図８（ａ）に示すように、ウェビングをさらに引き出した全量引き出し付近では、ＡＬＲレバー６０のカムピン６２はＡＬＲ用カム８７の側面８７ｄに当接し、さらに引き出すことで、該側面８７ｄに沿って径方向内側へ移動する。このため、ＡＬＲレバー６０は、ＡＬＲスプリング６９の死点を越えて第２の作動位置へスナップ動作する。これにより、図８（ｂ）に示すように、ＡＬＲレバー６０の当接用アーム部６５がＷＳレバー５０の爪用アーム部分５５と当接してＷＳレバー５０を揺動させ、ＷＳレバー５０の爪５２がベアリングカバー１００の内歯１０８と係合する。従って、図８（ｃ）に示すように、自動ロック機構が作動した状態となり、スピンドル１の引き出し方向の回転が規制される。
【００３７】
この状態では、図８（ｄ）に示すように、スピンドル１は、ステアリングホイール４０とともに、ＷＳレバー５０を内歯１０８によって内側に弾きながら回転することができるので、ウェビングを巻き取り可能である。特に、ＷＳレバー５０の爪用アーム部分５５にはＡＬＲレバー６０の当接用アーム部６５が当接しているが、ＡＬＲレバー６０は、その長孔６１によってステアリングホイール４０に移動自在に支持されているので、ＷＳレバー５０が弾かれる際にＷＳレバー５０の揺動とともに移動することができ、ＷＳレバー５０が弾かれる際の妨げとはならない。このため、チャイルドシート等を取り付ける際、自動ロック機構を作動状態として、余ったウェビングを巻取装置２で巻き取ることで、チャイルドシートを車両シートに確実に固定できる。
【００３８】
そして、図８（ｅ）に示すように、全量引き出し付近からウェビングが第２の所定量巻き取られると、ＷＳレバー５０の突起部５３が第１のカム８６の端部に当接して径方向外側に案内される。そして、ウェビングがさらに巻き取られると、図８（ｆ）に示すように、ＷＳレバー５０の突起部５３がＷＳ用カム８６の外周面に当接して、ＷＳレバー５０を第１の非作動位置に保持する。このため、ＷＳレバー５０がＡＬＲレバー６０の当接用アーム部６５に当接して押圧されることで、ＡＬＲレバー６０は当接用アーム部６５がＷＳレバー５０から離れる第２の非作動位置へＡＬＲスプリング６９の死点を越えてスナップ動作される。これにより、自動ロック機構の作動状態から緊急ロック機構が作動可能な状態に切り換えられる。
【００３９】
また、ウェビング装着状態から乗員がタングとバックルとの締結を解除した後は、ウェビングが巻取装置２のバネ力によって巻き取られる。そして、巻き取り完了手前から完了時にわたって、ＷＳレバー５０の突起部５３が第１のカム８６と当接して、ＷＳレバー５０が第１の非作動位置に保持される。また、ＷＳレバー５０のロック部材飛び出し防止用突起部５４がスピンドル１のカム溝８の壁面８ａで係合し、且つ、キャンセルレバー９０の突起部９１が第２のカム８７と当接して、ロックドック２０がロック解除位置に保持される。これにより、ウェビング加速度感知手段の誤作動によるエンドロックを防止するとともに、ロックドック２０自体のエンドロックを防止することができる。
【００４０】
また、図６に示すウェビング装着状態において、車両の衝突等によってウェビングが所定の速度以上で引き出され、スピンドル１に急激なウェビング引き出し力が作用した場合には、図９（ａ）に示す慣性体７０とステアリングホイール４０の間の位相ずれがない初期状態から慣性体７０とステアリングホイール４０の間に相対回転が生じる。このため、図９（ｂ）に示すようにＷＳレバー５０に当接している慣性体７０の凸部７１ａが、ＷＳレバー５０を押圧して、ＷＳレバー５０を時計方向に回転させる。そして、所定の角度に達するとＷＳレバー５０の爪５２がベアリングカバー１００の内歯１０８に係合する（図９（ｃ）参照。）。なお、係合解除時には、ＷＳレバー５０に当接している慣性体７０の他の凸部７１ｂが、ＷＳレバー５０を押圧して、ＷＳレバー５０を反時計方向に回転させる。
【００４１】
そして、図１０（ａ）に示すように、ＷＳレバー５０の爪５２がベアリングカバー１００の内歯１０８に係合することでステアリングホイール４０が固定された状態でさらにウェビングが引き出されると、ステアリングホイール４０がスピンドル１に対して回転遅れを生じ、カムピン２１がステアリングホイール４０のカム孔４１に収容されたロックドック２０は図１０（ｂ）に示すように外方に移動し、ロックドック２０の爪２２が外に飛び出して、フレーム１０の内歯１１と係合する。図１０（ｃ）は、さらにウェビングが引き出されて、ロックドック２０の爪２２がフレーム１０の内歯１１と完全に締結した状態を示す。これにより、スピンドル１にロックがかかり、ウェビングの引き出し方向の回転が阻止される。
【００４２】
また、車体加速度感知手段１１０が作動した場合は、ＶＳセンサレバー１２０の爪１２１がラチェットホイール３０の外歯３１に係合することで、ラチェットホイール３０をロックする。ラチェットホイール３０がロックされると、ラチェットホイール３０が固定された慣性体７０とステアリングホイール４０との間に相対回転が生じるので、上記と同様にして、ＷＳレバー５０及びロックドック２０の作用によりスピンドル１にロックがかかる。
【００４３】
以上のように、本実施形態のシートベルト用リトラクタによれば、ウェビングの巻き取り完了時に、コントロールプレート８０によって、ウェビング加速度感知手段のＷＳレバー５０を、ステアリングホイール４０のウェビング引き出し方向の回転が阻止されない第１の非作動位置に保持されるように制御し、同時に、ＷＳレバー５０によって、スピンドル１に対するステアリングホイール４０の回転遅れを防止し、ロックドック２０をフレーム１０と係合しないロック解除位置に保持する。これにより、コンパクトな構成で、緊急ロック機構のウェビング加速度感知手段及びロックドック自体の誤作動によるエンドロック２０の発生を防止することができる。
【００４４】
具体的に、ウェビング加速度感知手段の誤作動によるエンドロックを防止する機能は、ＷＳレバー５０の爪５２及びＷＳ用突起部５３と、コントロールプレート８０の第１のカム８６によって行なうことができる。また、ロックドック２０自体の誤作動によるエンドロックを防止する機能は、ＷＳレバー５０のロック部材飛び出し防止用突起部５４と、スピンドル１とステアリングホイール４０との間に設けられたコイルスプリング２８と、スピンドル１の側面に形成された、ロック部材飛び出し防止用突起部５４を移動可能に収容するとともに、該突起部５４と接触して係合可能な壁面８ａを有するカム溝８と、によって、上記ＷＳレバー５０のエンドロックとともに行なうことができる。
【００４５】
また、自動ロック機構の作動及び作動解除動作もコントロールプレート８０によって制御することができ、コンパクトな構成を維持することができる。
具体的に、自動ロック機構は、ＡＬＲ用突起部６２と当接用アーム部６５とを有するＡＬＲレバー６０、及びＡＬＲ用スプリング６９を備え、ＷＳレバー５０は、爪５２及びＷＳ用突起部５３を備え、コントロールプレート８０は、第１のカム８６及び第２のカム８７を備える。そして、ＡＬＲ用スプリング６９は、ウェビングが第１の所定量引き出されたときに第２のカム８７によって第２の作動位置へスナップ動作し、これによって、当接用アーム部６５がＷＳレバー５０に当接して、ＷＳレバー５０の爪５２をベアリングカバー１００の内歯１０８に係合させ、ステアリングホイール４０のウェビング引き出し方向の回転を阻止する。さらに、第１のカム８６は、ウェビングが第１の所定量引き出されてから第２の所定量巻き取られる時に、ＷＳ用突起部５３と当接してＷＳレバー５０が第１の非作動位置に保持され、且つ、ＷＳレバー５０が当接用アーム部６５に当接して押圧することで、ＡＬＲレバー６０は当接用アーム部６５がＷＳレバー５０から離れる第２の非作動位置へＡＬＲ用スプリング６９の死点を越えてスナップ動作する。
【００４６】
また、本実施形態では、ロックドック２０自体の誤作動によるエンドロックを防止する機能は、ロックドック２０のカムピン２１、長孔９３とロック部材用突起部９１とを有するキャンセルレバー９０、ロック部材用カムを兼ねる第２のカム８７によっても行われる。
【００４７】
また、コントロールプレート８０は、ドライブギア６、ドリブンギア８１、アイドルギア７を有する歯車増速機構によってスピンドル１の回転に対して増速回転するようにしたので、ウェビングの巻き取り・引き出し量に応じたＷＳレバー５０、ＡＬＲレバー６０、及びキャンセルレバー９０の揺動制御を簡単に行うことができる。具体的に、スピンドル１の１回転に対してコントロールプレート８０が一歯分多く（１回転＋１歯の回転のため）回転するように増速しているので、コントロールプレート８０の回転範囲で、ＷＳレバー５０、ＡＬＲレバー６０、キャンセルレバー９０の揺動のスケジュールを作成することができる。
【００４８】
（第２実施形態）
次に、本発明の第２実施形態に係るシートベルト用リトラクタについて図１１〜１４を参照して説明する。なお、第１実施形態と同一または同等部分については同一符号を付して、説明を省略或いは簡略化する。
【００４９】
本実施形態のシートベルト用リトラクタは、主にキャンセルレバーを有しない点、及び、コントロールプレートのカム形状において第１実施形態のものと異なる。即ち、本実施形態のシートベルト用リトラクタでは、ロックドック２０自体の誤作動によるエンドロックを防止する機能は、ウェビング加速度感知手段のＷＳレバー５０によってのみ行なわれる。また、第１実施形態では、自動ロック機構の作動解除動作をコントロールプレート８０の第１のカム８６のみで行っていたが、本実施形態では、作動解除動作をコントロールプレート８０の第１のカム８６及び第２のカム８７の両方で行なっている。従って、第２のカム８７は自動ロック機構の作動及び作動解除動作を行なうＡＬＲ用カムとして機能する。
【００５０】
具体的に、図１１に示すように、コントロールプレート８０は、第１実施形態と同様の第１のカム８６と、第２のカム１８７とを備える。第２のカム１８７では、コントロールプレート８０の外周面と同芯の第１の円弧部分１８７ａが略半周に亙って形成され、第１の円弧部分１８７ａの一端側には、内周寄りに延びる側面１８７ｂを有する案内部分が形成され、第１の円弧部分１８７ａの他端側には、第１実施形態と同様、案内通路８７ｃを形成するとともに径方向に延びる側面８７ｄを有する部分が形成される。
【００５１】
この第２のカム１８７の側面８７ｄは、第１実施形態と同様、ウェビングが全量引き出し直前から第１の所定量である全量引き出しまで引き出されるときに、ＡＬＲレバー６０のカムピン６２と当接する位置に形成される。また、第２のカム８７の側面１８７ｂは、ウェビングが第１の所定量である全量引き出しから第２の所定量巻き取られる時に、ＡＬＲレバー６０のカムピン６２と当接する位置に形成される。
【００５２】
従って、本実施形態のシートベルト用リトラクタでは、図１１に示すウェビングの全量格納状態では、ＷＳレバー５０の突起部５３は、第１のカム８６の外周面と当接しており、ＷＳレバー５０はステアリングホイール４０のウェビング引き出し方向の回転が阻止されない第１の非作動位置、即ち、ベアリングカバー１００の内歯１０８と係合しない爪５２を引っ込めた位置で回転不能に保持される。
【００５３】
このとき、ＷＳレバー５０のロック部材飛び出し防止用突起部５４は、スピンドル１のカム溝８の壁面８ａと接触して係合しており、スピンドル１に対するステアリングホイール４０の回転遅れが防止される。このため、ロックドック２０はフレーム１０の内歯１１と係合不能となるロック解除位置に保持される。
【００５４】
そして、図１１に示す全量格納状態からウェビングが引き出されると、コントロールプレート８０は、スピンドル１に対して矢印Ａ方向に相対回転する。従って、コントロールプレート８０は、スピンドル１に支持されたロックドック２０、スピンドル１とともに回転するステアリングホイール４０に支持されたＷＳレバー５０及びＡＬＲレバー６０に対して矢印Ａ方向に相対回転する。
【００５５】
これにより、ＷＳレバー５０の突起部５３と第１のカム８６との当接が解除されるとともに、ＷＳレバー５０のロック部材飛び出し防止用突起部５４の壁面８ａとの係合が解除される。このため、ＷＳスプリング５８で第１の非作動位置に保持されているＷＳレバー５０は、ステアリングホイール４０のウェビング引き出し方向の回転を阻止する第１の作動位置へ揺動回転可能となる。また、コイルスプリング２８によってロック解除位置に保持されているロックドック２０は、図１３（ａ）〜（ｃ）に示すように、ＷＳレバー５０の第１の作動位置への揺動後に内歯１１と係合するロック位置へ外側に飛び出し可能となる。
【００５６】
従って、図１２に示すように、タングにバックルが装着されたウェビング装着状態において、車両に所定値以上の減速度が作用しない通常時にはウェビングの引き出し、巻き取りが自由に行われる。また、ウェビング装着状態において、車両に所定値以上の減速度が作用する緊急時にはウェビング加速度感知手段と車体加速度感知手段が作動可能となる。
【００５７】
そして、図１４（ａ）に示すように、ウェビングをさらに引き出した全量引き出し付近では、ＡＬＲレバー６０のカムピン６２は第２のカム１８７の側面８７ｄに当接し、さらに引き出すことで、該側面８７ｄに沿って径方向内側へ移動する。このため、ＡＬＲレバー６０は、ＡＬＲスプリング６９の死点を越えて第２の作動位置へスナップ動作する。これにより、図１４（ｂ）に示すように、ＡＬＲレバー６０の当接用アーム部６５がＷＳレバー５０の爪用アーム部分５５と当接してＷＳレバー５０を揺動させ、ＷＳレバー５０の爪５２がベアリングプレート１００の内歯１０８と係合する。従って、図１４（ｃ）に示すように、自動ロック機構が作動した状態となり、スピンドル１の引き出し方向の回転が規制される。
【００５８】
この状態では、図１４（ｄ）に示すように、スピンドル１は、ステアリングホイール４０とともに、ＷＳレバー５０を内歯１０８によって内側に弾きながら回転することができるので、ウェビングを巻き取り可能である。特に、ＷＳレバー５０の爪用アーム部分５５にはＡＬＲレバー６０の当接用アーム部６５が当接しているが、ＡＬＲレバー６０は、その長孔６１によってステアリングホイール４０に移動自在に支持されているので、ＷＳレバー５０が弾かれる際にＷＳレバー５０の揺動とともに移動することができ、ＷＳレバー５０が弾かれる際の妨げとはならない。このため、チャイルドシート等を取り付ける際、自動ロック機構を作動状態として、余ったウェビングを巻取装置２で巻き取ることで、チャイルドシートを車両シートに確実に固定できる。
【００５９】
そして、図１４（ｅ）に示すように、全量引き出し付近からウェビングが第２の所定量巻き取られると、ＡＬＲレバー６０のカムピン６２は第２のカム８７の側面１８７ｂに当接し、ＡＬＲレバー６０は凸軸４３に対して長孔６１を移動させながら時計回りに回転する。そして、ウェビングがさらに巻き取られると、図１４（ｆ）に示すように、ＡＬＲレバー６０をＡＬＲスプリング６９の死点を越えて第２の非作動位置へスナップ動作させる。これにより、ＡＬＲレバー６０の当接用アーム部６５がＷＳレバー５０の爪用アーム部分５５から離れる。
【００６０】
また同時に、全量引き出し付近からウェビングが第２の所定量巻き取られる際には、第１実施形態と同様に、ＷＳレバー５０の突起部５３が第１のカム８６の外周面に当接して、ＷＳレバー５０を第１の非作動位置に保持する。このため、ＷＳレバー５０の爪５２は、ベアリングカバー１００の内歯１０８から離れ、ステアリングホイール４０のウェビング引き出し方向の回転が阻止されない。これにより、自動ロック機構の作動状態から緊急ロック機構が作動可能な状態に切り換えられる。
【００６１】
また、ウェビング装着状態から乗員がタングとバックルとの締結を解除した後は、ウェビングが巻取装置２のバネ力によって巻き取られる。そして、巻き取り完了手前から完了時にわたって、ＷＳレバー５０の突起部５３が第１のカム８６と当接して、ＷＳレバー５０が第１の非作動位置に保持される。また、ＷＳレバー５０のロック部材飛び出し防止用突起部５４がスピンドル１のカム溝８の壁面８ａで係合して、ロックドック２０がフレーム１０の内歯１１と係合不能となる位置に保持される。これにより、ウェビング加速度感知手段の誤作動によるエンドロックを防止するとともに、ロックドック２０自体のエンドロックを防止することができる。
なお、ウェビング装着状態における車両の衝突等における動作は、第１実施形態のものと同様であるので、説明を省略する。
【００６２】
以上のように、本実施形態のシートベルト用リトラクタにおいても、自動ロック機構の作動及び作動解除動作をコントロールプレート８０によって制御することができ、コンパクトな構成を維持することができる。
具体的に、本実施形態のウェビング加速度感知手段は、爪５２とＷＳ用突起部５３とを有するＷＳレバー５０を備え、自動ロック機構は、ＡＬＲ用突起部６２と当接用アーム部６５とを有するＡＬＲ用レバー６０、及びＡＬＲ用スプリング６９を備え、コントロールプレート８０は、第１及び第２のカム８６，１８７を備える。
【００６３】
そして、ウェビングが全量引き出され、ＡＬＲ用レバー６９が、第２のカム１８７によって第２の作動位置へスナップ動作したとき、当接用アーム部６５がＷＳレバー５０に当接して、ＷＳレバー５０の爪５２をベアリングカバー１００の内歯１０８に係合させ、ステアリングホイール４０のウェビング引き出し方向の回転を阻止する。
また、ウェビングが第２の所定量巻き取られる時に、第２のカム１８７は、ＡＬＲ用突起部６２と当接してＡＬＲ用レバー６０を第２の非作動位置へスナップ動作させるように制御するとともに、第１のカム８６は、ＷＳ用突起部５３と当接してＷＳ用レバー５０が第１の非作動位置に保持されるように制御する。これにより、ステアリングホイールのウェビング引き出し方向の回転が阻止されず、自動ロック機構の作動解除動作が確実に行なわれる。
【００６４】
また、本実施形態のシートベルト用リトラクタによれば、キャンセルレバーを有することなく、ロックドック２０自体の誤作動によるエンドロックを防止しているので、より部品点数を削減できるとともに、コンパクトな構成を実現できる。
【００６５】
尚、本発明は、上述した実施形態に限定されるものではなく、適宜、変形、改良等が可能である。
本発明のコントロールプレートは、スピンドルの回転に応じて異なる回転数で回転すればよく、本実施形態のような増速回転であってもよいし、或いは、コントロールプレートのリブ状のカムを適宜設計することで減速回転であってもよい。
【００６６】
また、本発明のコントロールプレートは、リブによってＷＳレバーやＡＬＲレバーの揺動制御、及びキャンセルキャップの移動制御を行っているが、コントロールプレートにカム溝を形成することでこれら制御を行うようにしてもよい。
【００６７】
さらに、本発明のコントロールプレートの各カムは、上述した各カムの機能を発揮できるとともに、各突起部の揺動や移動に対して不必要に干渉しないものであれば、本実施形態の形状に限定されるものでない。
【符号の説明】
【００６８】
１  スピンドル
２  バネ式の巻取装置
６  ドライブギア
７  アイドルギア
８  カム溝
８ａ  壁面（飛び出し防止部）
１０  フレーム
２０  ロックドック（ロック部材）
３０  ラチェットホイール（ラッチ部材）
４０  ステアリングホイール
５０  ＷＳレバー（第１の係止手段）
５３  ＷＳ用突起部
５４  ロック部材飛び出し防止用突起部
６０  ＡＬＲレバー（第２の係止手段）
６２  カムピン（ＡＬＲ用突起部）
７０  慣性体
８０  コントロールプレート
８１  ドリブンギア
８６  第１のカム
８７，１８７  第２のカム
９０  キャンセルレバー（キャンセル部材）
９１  ロック部材用突起部
１１０  車体加速度感知手段
１２０  ＶＳセンサレバー
【図１】
2010167845.tif 000003
【図２】
2010167845.tif 000004
【図３】
2010167845.tif 000005
【図４】
2010167845.tif 000006
【図５】
2010167845.tif 000007
【図６】
2010167845.tif 000008
【図７】
2010167845.tif 000009
【図８】
2010167845.tif 000010
【図９】
2010167845.tif 000011
【図１０】
2010167845.tif 000012
【図１１】
2010167845.tif 000013
【図１２】
2010167845.tif 000014
【図１３】
2010167845.tif 000015
【図１４】
2010167845.tif 000016